(57)【要約】【課題】経時安定性が高く、かつ、高い透明性を有する層間絶縁膜を提供することが可能な層間絶縁膜用感光性樹脂組成物を提供する。【解決手段】層間絶縁膜用感光性樹脂組成物において、アルカリ可溶性樹脂成分（Ａ）として、下記一般式（ａ−１）で表される構成単位(ａ１)と、架橋性基を有する構成単位（ａ２）と、を有する共重合体（Ａ１）を含み、感光剤（Ｂ）として、キノンジアジド基含有化合物とフェノール性水酸基含有化合物の縮合物を含み、前記フェノール性水酸基含有化合物の波長３５０ｎｍにおけるグラム吸光係数を１以下とする。2008040186.tif 000010［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０又は１〜４の整数を表し、ａ＋ｂは５以下である。なお、Ｒ２が２以上存在する場合、これらのＲ２は相互に異なっていてもよいし同じでもよい。］【選択図】なし【特許請求の範囲】
【請求項１】
アルカリ可溶性樹脂成分（Ａ）と、感光剤（Ｂ）と、を含む層間絶縁膜用感光性樹脂組成物であって、
前記アルカリ可溶性樹脂成分（Ａ）は、下記一般式（ａ−１）で表される構成単位(ａ１)と、架橋性基を有する構成単位（ａ２）と、を有する共重合体（Ａ１）を含み、
前記感光剤（Ｂ）は、キノンジアジド基含有化合物とフェノール性水酸基含有化合物とを縮合させてなる化合物であり、
前記フェノール性水酸基含有化合物の波長３５０ｎｍにおけるグラム吸光係数は、１以下である、層間絶縁膜用感光性樹脂組成物。
【化１】
2008040186.tif 000009
［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０又は１〜４の整数を表し、ａ＋ｂは５以下である。なお、Ｒ２が２以上存在する場合、これらのＲ２は相互に異なっていてもよいし同じでもよい。］
【請求項２】
前記フェノール性水酸基含有化合物は、カルボニル基を含有しない化合物である請求項１に記載の層間絶縁膜用感光性樹脂組成物。
【発明の詳細な説明】
【技術分野】
【０００１】
本発明は、層間絶縁膜用感光性樹脂組成物に関するものである。
【背景技術】
【０００２】
従来から液晶表示素子、集積回路素子、固体撮像素子等の電子部品には、層状に配置された配線の間を絶縁するために設けられる層間絶縁膜等が形成されている。この層間絶縁膜は、感光性樹脂組成物を用いて形成されてきた（例えば、特許文献１、２、３参照）。
例えば、ＴＦＴ（薄膜トランジスタ）型液晶表示素子は、一般的に次のような手順で製造される。ガラス基板上に偏光板を設け、透明導電回路層及びＴＦＴを形成した後、層間絶縁膜で被覆して背面板を製造する。一方で、ガラス基板上に偏光板を設け、ブラックマトリクス及びカラーフィルタのパターンを形成した後、透明導電回路層、層間絶縁膜を順次形成して上面板を製造する。そして、この背面板と上面板とをスペーサを介して対向させて両板間に液晶を封入することによりＴＦＴ型液晶表示装置を製造する。上記層間絶縁膜は、一般的に感光性樹脂組成物を塗布、露光・現像してパターンを形成した後、該パターンを熱硬化させることにより形成される。
【特許文献１】特開平８−２６２７０９号公報
【特許文献２】特開２０００−１６２７６９号公報
【特許文献３】特開２００３−３３０１８０号公報
【発明の開示】
【発明が解決しようとする課題】
【０００３】
しかしながら、上記感光性組成物では、得られる層間絶縁膜の透明性が低下してしまう場合がある。
【０００４】
本発明は、上記の課題に鑑みてなされたものであり、高い透明性を有する層間絶縁膜を提供することが可能な層間絶縁膜用感光性樹脂組成物を提供することを目的とする。
【課題を解決するための手段】
【０００５】
本発明者らは、感光剤にキノンジアジド基含有化合物とフェノール性水酸基含有化合物とを縮合させてなる化合物であり、前記フェノール性水酸基含有化合物の波長３５０ｎｍにおけるグラム吸光係数が、１以下である化合物を使用することにより、より高い透明性を有する層間絶縁膜を提供することが可能となることを見出し、本発明を完成するに至った。
【０００６】
本発明は、アルカリ可溶性樹脂成分（Ａ）、感光剤（Ｂ）を含む層間絶縁膜用感光性樹脂組成物であって、前記アルカリ可溶性樹脂成分（Ａ）は、下記一般式（ａ−１）で表される構成単位（ａ１）と、架橋性基を有する構成単位（ａ２）と、を有する共重合体（Ａ１）を含み、前記感光剤（Ｂ）は、キノンジアジド基含有化合物とフェノール性水酸基含有化合物とを縮合させてなる化合物であり、前記フェノール性水酸基含有化合物の波長３５０ｎｍにおけるグラム吸光係数は、１以下である層間絶縁膜用感光性樹脂組成物を提供する。
【化１】
2008040186.tif 000002
［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０又は１〜４の整数を表し、ａ＋ｂは５以下である。なお、Ｒ２が２以上存在する場合、これらのＲ２は相互に異なっていてもよいし同じでもよい。］
なお、本発明における「構成単位」とは、重合体を構成するモノマー単位をいう。
【発明の効果】
【０００７】
本発明によれば、従来よりも、高い透明性を有する層間絶縁膜を提供することが可能となる。
【発明を実施するための最良の形態】
【０００８】
本発明に係る層間絶縁膜用感光性樹脂組成物は、アルカリ可溶性樹脂成分（Ａ）（以下、（Ａ）成分ともいう）と、感光剤（Ｂ）（以下、（Ｂ）成分ともいう）を含有する。
【０００９】
［アルカリ可溶性樹脂成分（Ａ）］
本発明における（Ａ）成分は、構成単位（ａ１）と、架橋性基を有する構成単位（ａ２）と、を有する共重合体（Ａ１）を含有する。
本発明の層間絶縁膜用組成物は、（Ａ）成分として上記構成単位（ａ１）及び（ａ２）を含む共重合体を含有することにより、得られるパターンの解像性、及び保存安定性を向上させることができる。また、一般に使用されている２．３８質量％のテトラメチルアンモニウムヒドロキシド水溶液をそのまま使用して現像することができる。従来の層間絶縁膜用組成物は、２．３８質量％のテトラメチルアンモニウムヒドロキシド水溶液を希釈して（例えば０．４質量％）現像しなければならなかったが、希釈する工程を削除することができる。
【化２】
2008040186.tif 000003
［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０又は１〜４の整数を表し、ａ＋ｂは５以下である。なお、Ｒ２が２以上存在する場合、これらのＲ２は相互に異なっていてもよいし同じでもよい。］
【００１０】
上記一般式（ａ−１）において、Ｒ０は水素原子又はメチル基であり、メチル基である。また、Ｒ１は単結合又は炭素数１〜５の直鎖状又は分岐鎖状のアルキレン基を示す。具体的には、メチレン基、エチレン基、プロピレン基、イソプロピレン基、ｎ−ブチレン基、イソブチレン基、ｔｅｒｔ−ブチレン基、ペンチレン基、イソペンチレン基、ネオペンチレン基等が挙げられる。中でも、単結合、メチレン基、エチレン基であることが好ましい。特に、単結合である場合には、アルカリ可溶性を向上させることができ、さらに層間絶縁膜としたときの耐熱性を向上させることができ、好ましい。
【００１１】
また、ａは１〜５の整数を表すが、本発明の効果の観点や、製造が容易であるという点から、ａが１であることが好ましい。
また、ベンゼン環における水酸基の結合位置は、Ｒ１と結合している炭素原子を基準（１位）としたとき、４位に結合していることが好ましい。
【００１２】
また、Ｒ２は炭素数１〜５の直鎖又は分岐鎖状のアルキル基である。具体的には、メチル基、エチル基、プロピル基、イソプロピル基、ｎ−ブチル基、イソブチル基、ｔｅｒｔ−ブチル基、ペンチル基、イソペンチル基、ネオペンチル基等が挙げられる。中でも製造が容易であるという点から、メチル基又はエチル基であることが好ましい。
また、ｂは０又は１〜４の整数を表す。
【００１３】
上記構成単位（ａ１）としては具体的には、下記の構造式（ａ−１−１）（ａ−１−２）で示されるものが挙げられる。特に、（ａ−１−１）で表される構成単位であることが好ましい。
【化３】
2008040186.tif 000004
【００１４】
この構成単位（ａ１）は、下記式（ａ−１）´で表される重合性単量体を他の重合性単量体と共重合させることにより、共重合体（Ａ１）に導入することができる。
【化４】
2008040186.tif 000005
［Ｒ０、Ｒ１、Ｒ２、ａ、ｂは上記と同様である。］
【００１５】
本発明における構成単位（ａ２）は、架橋性基を有する構成単位である。この架橋性基は、熱により架橋するものである。例えば、エチレン性二重結合を有する有機基、エポキシ基を有する有機基、オキセタニル基を有する有機基が挙げられる。この構成単位（ａ２）は、中でも、共重合体の製造の容易さからエポキシ基を有する有機基であることが好ましい。そして、（ａ２）がエポキシ基を有する有機基である場合には層間絶縁膜用組成物としての保存安定性に問題があるが、上記（ａ１）で表される構成単位と組み合わせた共重合体とすることにより、保存安定性を向上させることができる。
このような架橋性基を有する構成単位（ａ２）において、エポキシ基を有する有機基を有するものとしては、例えばアクリル酸グリシジル、メタクリル酸グリシジル、アクリル酸−β−メチルグリシジル、メタクリル酸−β−メチルグリシジル、α−エチルアクリル酸グリシジル、α−ｎ−プロピルアクリル酸グリシジル、α−ｎ−ブチルアクリル酸グリシジル、アクリル酸−３，４−エポキシブチル、メタクリル酸−３，４−エポキシブチル、アクリル酸−６，７−エポキシヘプチル、メタクリル酸−６，７−エポキシヘプチル、α−エチルアクリル酸−６，７−エポキシヘプチル、Ｏ−ビニルベンジルグリシジルエーテル、ｍ−ビニルベンジルグリシジルエーテル、ｐ−ビニルベンジルグリシジルエーテル、（３，４−エポキシシクロヘキシル）メチルメタクリレートなどの重合性単量体を共重合させることにより誘導することができる。これらの構成単位（ａ２）は、単独であるいは組み合わせてもよい。
特に好ましい構成単位（ａ２）としては、下記式（ａ−２）で表される構成単位が挙げられる。
【化５】
2008040186.tif 000006
［Ｒ３は水素原子又はメチル基を表す。］
この式（ａ−２）で表される構成単位は、製造の容易さ、コストの優位性及び得られる層間絶縁膜の耐溶剤性を高める点から好ましく用いられる。
【００１６】
また、上記アルカリ可溶性樹脂成分（Ａ）は、構成単位（ａ１）、（ａ２）以外の構成単位（ａ３）を含有していてもよい。この構成単位（ａ３）としては、不飽和カルボン酸類、アクリル酸エステル類、メタクリル酸エステル類、アクリルアミド類、メタクリルアミド類、アリル化合物、ビニルエーテル類、ビニルエステル類、及びスチレン類等から誘導される構成単位が挙げられる。
【００１７】
不飽和カルボン酸類としては、アクリル酸、メタクリル酸、クロトン酸等のモノカルボン酸；マレイン酸、フマル酸、シトラコン酸、メサコン酸、イタコン酸等のジカルボン酸、これらジカルボン酸の無水物等が挙げられる。
【００１８】
アクリル酸エステル類としては、具体的には、アクリル酸メチル、アクリル酸エチル、アクリル酸プロピル、アクリル酸イソプロピル、アクリル酸ブチル、アクリル酸アミル、アクリル酸エチルヘキシル、アクリル酸オクチル、アクリル酸−ｔ−オクチル等の直鎖あるいは分岐鎖アルキルアクリレート；シクロヘキシルアクリレート、ジシクロペンタニルアクリレート、２−メチルシクロヘキシルアクリレート、ジシクロペンタニルアクリレート、ジシクロペンタオキシエチルアクリレート、イソボロニルアクリレート等の脂環式アルキルアクリレート；、クロルエチルアクリレート、２，２−ジメチルヒドロキシプロピルアクリレート、２−ヒドロキシエチルアクリレート、５−ヒドロキシペンチルアクリレート、トリメチロールプロパンモノアクリレート、ペンタエリスリトールモノアクリレート、ベンジルアクリレート、メトキシベンジルアクリレート、フルフリルアクリレート、テトラヒドロフルフリルアクリレート、アリールアクリレート（例えばフェニルアクリレート）等が挙げられる。
【００１９】
メタクリル酸エステル類としては、具体的には、メチルメタクリレート、エチルメタクリレート、プロピルメタクリレート、イソプロピルメタクリレート、ｎ−ブチルメタクリレート、ｓｅｃ−ブチルメタクリレート、ｔ−ブチルメタクリレート、アミルメタクリレート、ヘキシルメタクリレート、オクチルメタクリレート等の直鎖又は分岐鎖アルキルメタクリレート；シクロヘキシルメタクリレート、ジシクロペンタニルメタクリレート、２−メチルシクロヘキシルメタクリレート、ジシクロペンタニルオキシエチルメタクリレート、イソボニルメタクリレート等の脂環式アルキルメタクリレート；ベンジルメタクリレート、クロルベンジルメタクリレート、２−ヒドロキシエチルメタクリレート、４−ヒドロキシブチルメタクリレート、５−ヒドロキシペンチルメタクリレート、２，２−ジメチル−３−ヒドロキシプロピルメタクリレート、トリメチロールプロパンモノメタクリレート、ペンタエリスリトールモノメタクリレート、フルフリルメタクリレート、テトラヒドロフルフリルメタクリレート、アリールメタクリレート（例えばフェニルメタクリレート、クレジルメタクリレート、ナフチルメタクリレート等）等が挙げられる。
【００２０】
アクリルアミド類としては、具体的には、アクリルアミド、Ｎ−アルキルアクリルアミド（アルキル基の炭素数は１〜１０が好ましく、例えばメチル基、エチル基、プロピル基、ブチル基、ｔ−ブチル基、ヘプチル基、オクチル基、シクロヘキシル基、ヒドロキシエチル基、ベンジル基等が挙げられる）、Ｎ−アリールアクリルアミド（アリール基としては、例えばフェニル基、トリル基、ニトロフェニル基、ナフチル基、ヒドロキシフェニル基等）、Ｎ，Ｎ−ジアルキルアクリルアミド（アルキル基の炭素数は１〜１０が好ましい）、Ｎ，Ｎ−アリールアクリルアミド（アリール基としては、例えばフェニル基がある）、Ｎ−メチル−Ｎ−フェニルアクリルアミド、Ｎ−ヒドロキシエチル−Ｎ−メチルアクリルアミド、Ｎ−２−アセトアミドエチル−Ｎ−アセチルアクリルアミドが挙げられる。
【００２１】
メタクリルアミド類としては、具体的には、メタクリルアミド、Ｎ−アルキルメタクリルアミド（アルキル基としては、炭素数１〜１０のものが好ましく、例えばメチル基、エチル基、ｔ−ブチル基、エチルヘキシル基、ヒドロキシエチル基、シクロヘキシル基等が挙げられる）、Ｎ−アリールメタクリルアミド（アリール基としては、フェニル基等がある。）、Ｎ，Ｎ−ジアルキルメタクリルアミド（アルキル基としては、エチル基、プロピル基、ブチル基等がある）、Ｎ，Ｎ−ジアリールメタクリルアミド（アリール基としては、フェニル基等がある）、Ｎ−ヒドロキシエチル−Ｎ−メチルメタクリルアミド、Ｎ−メチル−Ｎ−フェニルメタクリルアミド、Ｎ−エチル−Ｎ−フェニルメタクリルアミドが挙げられる。
アリル化合物としては、具体的には、アリルエステル類（例えば酢酸アリル、カプロン酸アリル、カプリル酸アリル、ラウリン酸アリル、パルミチン酸アリル、ステアリン酸アリル、安息香酸アリル、アセト酢酸アリル、乳酸アリル等）、アリルオキシエタノール等が挙げられる。
【００２２】
ビニルエーテル類としては、具体的には、アルキルビニルエーテル（例えばヘキシルビニルエーテル、オクチルビニルエーテル、デシルビニルエーテル、エチルヘキシルビニルエーテル、メトキシエチルビニルエーテル、エトキシエチルビニルエーテル、クロルエチルビニルエーテル、１−メチル−２，２−ジメチルプロピルビニルエーテル、２−エチルブチルビニルエーテル、ヒドロキシエチルビニルエーテル、ジエチレングリコールビニルエーテル、ジメチルアミノエチルビニルエーテル、ジエチルアミノエチルビニルエーテル、ブチルアミノエチルビニルエーテル、ベンジルビニルエーテル、テトラヒドロフルフリルビニルエーテル等）、ビニルアリールエーテル（例えばビニルフェニルエーテル、ビニルトリルエーテル、ビニルクロルフェニルエーテル、ビニル−２，４−ジクロルフェニルエーテル、ビニルナフチルエーテル、ビニルアントラニルエーテル等）が挙げられる。
ビニルエステル類としては、具体的には、ビニルブチレート、ビニルイソブチレート、ビニルトリメチルアセテート、ビニルジエチルアセテート、ビニルバレート、ビニルカプロエート、ビニルクロルアセテート、ビニルジクロルアセテート、ビニルメトキシアセテート、ビニルブトキシアセテート、ビニルフエニルアセテート、ビニルアセトアセテート、ビニルラクテート、ビニル−β−フェニルブチレート、安息香酸ビニル、サリチル酸ビニル、クロル安息香酸ビニル、テトラクロル安息香酸ビニル、ナフトエ酸ビニルが挙げられる。
【００２３】
スチレン類としては、具体的には、スチレン、アルキルスチレン（例えばメチルスチレン、ジメチルスチレン、トリメチルスチレン、エチルスチレン、ジエチルスチレン、イソプロピルスチレン、ブチルスチレン、ヘキシルスチレン、シクロヘキシルスチレン、デシルスチレン、ベンジルスチレン、クロルメチルスチレン、トリフルオロメチルスチレン、エトキシメチルスチレン、アセトキシメチルスチレン等）、アルコキシスチレン（例えばメトキシスチレン、４−メトキシ−３−メチルスチレン、ジメトキシスチレン等）、ハロゲンスチレン（例えばクロルスチレン、ジクロルスチレン、トリクロルスチレン、テトラクロルスチレン、ペンタクロルスチレン、ブロムスチレン、ジブロムスチレン、ヨードスチレン、フルオロスチレン、トリフルオロスチレン、２−ブロム−４−トリフルオロメチルスチレン、４−フルオロ−３−トリフルオロメチルスチレン等）が挙げられる。
また、アクリロニトリル、メタクリロニトリル等も挙げられる。
【００２４】
これらの構成単位（ａ３）としては、特に脂環式の基を有する単量体（特に脂環式アルキルアクリレート又は脂環式メタクリレート）から誘導されるものが好ましい。このように、脂環式を有する基を共重合体に導入することにより、層間絶縁膜の誘電率を低下させることが可能となる。
【００２５】
また、上記アルカリ可溶性樹脂成分（Ａ）は、不飽和カルボン酸類を含む構成単位を含まない、即ち、カルボキシル基を有する構成単位を含まないことが特に好ましい。これにより、特に保存安定性を向上させることができる。従来の層間絶縁膜用組成物は、保存安定性が悪いために室温で保存できず、冷凍保存しなければならなかったが、上記の構成により室温で保存できるようになる。
また、上記アルカリ可溶性樹脂成分（Ａ）は、特に構成単位（ａ１）と架橋基としてエポキシ基を有する構成単位（ａ２）とを含む共重合体を含み、不飽和カルボン酸類を含む構成単位を含まない、つまり、アルカリ可溶性樹脂成分（Ａ）がカルボキシル基を有する構成単位を含まないことが特に好ましい。これにより、薬品耐性及び特に保存安定性を向上させることができる。従来の層間絶縁膜用組成物は、保存安定性が悪いために室温で保存できず、冷凍保存しなければならなかったが、上記の構成により室温で保存できるようになる。
【００２６】
上記アルカリ可溶性樹脂成分（Ａ）中における構成単位（ａ１）は、１０モル％〜８０モル％であることが好ましく、２０モル％〜７０モル％であることがより好ましい。
構成単位（ａ１）の比率を、上記の範囲内にすることにより、充分なアルカリ可溶性を層間絶縁膜用感光性樹脂組成物に付与することができる。
また、上記アルカリ可溶性樹脂成分（Ａ）中における構成単位（ａ２）は、１０モル％〜９０モル％であることが好ましく、２０モル％〜８０モル％であることがより好ましい。
構成単位（ａ２）の比率を上記の範囲内にすることにより、充分な熱硬化性を層間絶縁膜用感光性樹脂組成物に付与することができ、層間絶縁膜としての耐薬品性を得ることができる。
さらに、上記アルカリ可溶性樹脂成分（Ａ）中における構成単位（ａ３）は、０モル％〜６０モル％であることが好ましく、０モル％〜３０モル％であることがより好ましく、０モル％〜１０モル％であることがよりさらに好ましく、含まれないことが最も好ましい。
【００２７】
上記共重合体（Ａ１）の質量平均分子量（Ｍｗ：ゲルパーミエーションクロマトグラフィ（ＧＰＣ）のスチレン換算による測定値）は、２０００〜５００００であることが好ましく、５０００〜３００００であることがより好ましい。分子量を２０００以上とすることにより、容易に膜状に形成することが可能となる。また、分子量５００００以下とすることによって、適度なアルカリ溶解性を得ることが可能となる。
【００２８】
上記共重合体（Ａ１）は、公知のラジカル重合により、製造することができる。すなわち、前記構成単位（ａ１）（ａ２）（ａ３）を誘導する重合性単量体、及び公知のラジカル重合開始剤を重合溶媒に溶解した後、加熱撹拌することにより製造することができる。
【００２９】
さらに、アルカリ可溶性樹脂成分（Ａ）は、上記共重合体（Ａ１）以外に、他の共重合体（Ａ２）を含んでいてもよい。この共重合体（Ａ２）としては、構成単位（ａ３）からなる共重合体（ホモポリマーも含む）、構成単位（ａ１）と構成単位（ａ３）との共重合体、構成単位（ａ２）と構成単位（ａ３）との共重合体等が挙げられる。この共重合体（Ａ２）は、単独又は２種以上組み合わせて用いてもよい。
この共重合体（Ａ２）は、上記共重合体（Ａ１）１００質量部に対して、０質量部〜５０質量部であることが好ましく、０質量部〜３０質量部であることがより好ましい。
この共重合体（Ａ２）の質量平均分子量（Ｍｗ：ゲルパーミエーションクロマトグラフィ（ＧＰＣ）のスチレン換算による測定値）は、２０００〜５００００であることが好ましく、５０００〜３００００であることがより好ましい。
【００３０】
［感光剤（Ｂ）］
感光剤（Ｂ）としては、キノンジアジド基含有化合物と、フェノール性水酸基含有化合物と、の縮合物が挙げられる。この縮合物に使用されるフェノール性水酸基含有化合物は、波長３５０ｎｍにおけるグラム吸光係数が１以下の化合物である。このような性質を有するフェノール性水酸基含有化合物を用いることによって、形成される層間絶縁膜の透明性を高めることができ、波長３５０ｎｍ近傍のｉ線に対して特に好ましく用いることができる。
このフェノール性水酸基含有化合物は、カルボニル基を含有しない非ベンゾフェノン系の化合物であることがより好ましい。これにより、感光性樹脂組成物の経時安定性をさらに向上させることができる。
【００３１】
（Ｂ）成分としては、具体的には、フェノール性水酸基含有化合物と、ナフトキノンジアジドスルホン酸化合物との完全エステル化物や部分エステル化物が挙げられる。
【００３２】
フェノール性水酸基含有化合物としては、特に好ましくは１−［１−（４−ヒドロキシフェニル）イソプロピル］−４−［１，１−ビス（４−ヒドロキシフェニル）エチル］ベンゼンが挙げられる。
これらは単独又は２種以上組み合わせて用いることができる。
【００３３】
また、上記ナフトキノンジアジドスルホン酸化合物としては、ナフトキノン−１，２−ジアジド−５−スルホン酸又はナフトキノン−１，２−ジアジド−４−スルホン酸等を挙げることができる。
【００３４】
また、他のキノンジアジド基含有化合物、例えばオルトベンゾキノンジアジド、オルトナフトキノンジアジド、オルトアントラキノンジアジド又はオルトナフトキノンジアジドスルホン酸エステル類等のこれらの核置換誘導体が挙げられる。
【００３５】
これらのキノンジアジド基含有化合物は、フェノール性水酸基含有化合物と、ナフトキノン−１，２−ジアジド−５−スルホニルクロリド又はナフトキノン−１，２−ジアジド−４−スルホニルクロリドと、をジオキサン等の適当な溶剤中において、トリエタノールアミン、炭酸アルカリ、炭酸水素アルカリ等のアルカリの存在下に縮合させ、完全エステル化又は部分エステル化することにより製造することができる。
キノンジアジド基含有化合物としては、このようなナフトキノンジアジドスルホン酸エステル化物が好ましい。
【００３６】
また、上記（Ｂ）成分としては、多核枝分かれ型化合物を用いることが好ましい。これにより、層間絶縁膜用感光性樹脂組成物においてより高い感度が得られ、層間絶縁膜としたときの透過率（透明性）を向上させることができる。
さらに、上記フェノール性水酸基含有化合物は、分解温度が、３００℃以上であることがより好ましい。これにより、層間絶縁膜の透明性を確保することができる。
このような（Ｂ）成分としては、特に、１−［１−（４−ヒドロキシフェニル）イソプロピル］−４−［１，１−ビス（４−ヒドロキシフェニル）エチル］ベンゼンのナフトキノンジアジドスルホン酸エステル化物を好適に用いることができる。さらに、この感光剤は、経時安定性（異物経時）を良好にすることができる。
【００３７】
（Ｂ）成分の含有量は、全固形成分に対し、１０質量％〜４０質量％、好ましくは２０質量％〜３０質量％である。
（Ｂ）成分の含有量を１０質量％以上とすることによって、解像度を向上させることが可能となる。また、パターンを形成した後の、パターンの膜減り量を低減させることが可能となる。また、（Ｂ）成分の含有量を４０質量％以下とすることによって、適度な感度や透過率を付与することが可能となる。
【００３８】
［有機溶剤（Ｃ）］
本発明に係る層間絶縁膜形成用感光性樹脂組成物は、塗布性を改善したり、粘度を調整したりするために、有機溶剤（Ｃ）（以下、（Ｃ）成分ともいう）を含有してもよい。
【００３９】
（Ｃ）成分としては、ベンゼン、トルエン、キシレン、メチルエチルケトン、アセトン、メチルイソブチルケトン、シクロヘキサノン、メタノール、エタノール、プロパノール、ブタノール、ヘキサノール、シクロヘキサノール、エチレングリコール、ジエチレングリコール、グリセリン、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、ジエチレングリコールモノエチルエーテル、ジエチレングリコールジメチルエーテル、ジエチレングリコールジエチルエーテル、３−メトキシブチルアセテート（ＭＡ）、３−メトキシブタノール（ＢＭ）、３−メチル−３−メトキシブチルアセテート、プロピレングリコールモノメチルエーテアセテート（ＰＧＭＥＡ）、プロピレングリコールモノメチルエーテルプロピオネート、プロピレングリコールモノエチルエーテルプロピオネート、炭酸メチル、炭酸エチル、炭酸プロピル、炭酸ブチル又はこれらの混合物等が挙げられる。中でもＭＡや、ＭＡとＢＭの混合溶剤を用いることが好ましい。
有機溶剤（Ｃ）の使用量は特に限定されないが、基板等に塗布可能な濃度で、塗布膜厚に応じて適宜設定される。具体的には、感光性樹脂組成物の固形分濃度が１０質量％〜５０質量％、好ましくは１５質量％〜３５質量％の範囲内となるように用いることが好ましい。
【００４０】
［その他（Ｄ）］
また、本発明に係る層間絶縁膜用感光性樹脂組成物は、界面活性剤や、増感剤、消泡剤、架橋剤等の各種添加剤を含有していてもよい。
界面活性剤としては、従来公知のものであってよく、アニオン系、カチオン系、ノニオン系等の化合物が挙げられる。具体的には、Ｘ−７０−０９０（商品名、信越化学工業社製）等を挙げることができる。界面活性剤を添加することにより、塗布性、平坦性を向上させることができる。
【００４１】
増感剤としては、従来公知のポジ型レジストに用いられるものを使用することができる。上記消泡剤としては、従来公知のものであってよく、シリコーン系化合物、フッ素系化合物が挙げられる。
【００４２】
また、架橋剤としては、エチレン性不飽和結合を有する重合性化合物が挙げられる。このような化合物としては、中でも、単官能、２官能又は３官能以上の（メタ）アクリレートが、重合性が良好であり、得られるパターン状薄膜の強度が向上する点から好ましく用いられる。
【００４３】
上記単官能（メタ）アクリレートとしては、例えば２−ヒドロキシエチル（メタ）アクリレート、カルビトール（メタ）アクリレート、イソボロニル（メタ）アクリレート、３−メトキシブチル（メタ）アクリレート、２−（メタ）アクリロイルオキシエチル−２−ヒドロキシプロピルフタレートなどが挙げられる。その市販品としては、例えばアロニックスＭ−１０１、同Ｍ−１１１、同Ｍ−１１４（東亜合成化学工業（株）製）、ＫＡＹＡＲＡＤ  ＴＣ−１１０Ｓ、同ＴＣ−１２０Ｓ（日本化薬（株）製）、ビスコート１５８、同２３１１（大阪有機化学工業（株）製）が挙げられる。
【００４４】
上記２官能（メタ）アクリレートとしては、例えばエチレングリコール（メタ）アクリレート、１，６−ヘキサンジオールジ（メタ）アクリレート、１，９−ノナンジオールジ（メタ）アクリレート、ポリプロピレングリコールジ（メタ）アクリレート、テトラエチレングリコールジ（メタ）アクリレート、ビスフェノキシエタノールフルオレンジアクリレートなどが挙げられる。その市販品としては、例えばアロニックスＭ−２１０、同Ｍ−２４０、同Ｍ−６２００（東亜合成化学工業（株）製）、ＫＡＹＡＲＡＤ  ＨＤＤＡ、同ＨＸ−２２０、同Ｒ−６０４（日本化薬（株）製）、ビスコート２６０、同３１２、同３３５ＨＰ（大阪有機化学工業（株）製）などが挙げられる。
【００４５】
上記３官能以上の（メタ）アクリレートとしては、例えばトリメチロールプロパントリ（メタ）アクリレート、ペンタエリスリトールトリ（メタ）アクリレート、トリ（（メタ）アクリロイロキシエチル）フォスフェート、ペンタエリスリトールテトラ（メタ）アクリレート、ジペンタエリスリトールペンタ（メタ）アクリレート、ジペンタエリスリトールヘキサ（メタ）アクリレートなどが挙げられる。その市販品としては、例えばアロニックスＭ−３０９、同Ｍ−４００、同Ｍ−４０２、同Ｍ−４０５、同Ｍ−４５０、同Ｍ−７１００、同Ｍ−８０３０、同Ｍ−８０６０（東亜合成化学工業（株）製）、ＫＡＹＡＲＡＤ  ＴＭＰＴＡ、同ＤＰＨＡ、同ＤＰＣＡ−２０、同ＤＰＣＡ−３０、同ＤＰＣＡ−６０、同ＤＰＣＡ−１２０（日本化薬（株）製）、ビスコート２９５、同３００、同３６０、同ＧＰＴ、同３ＰＡ、同４００（大阪有機化学工業（株）製）などが挙げられる。これらの架橋剤は、単独であるいは組み合わせて用いられる。
なお、本発明の層間絶縁膜用感光性樹脂組成物においては、上記アルカリ可溶性成分（Ａ）を含有しているため、上記架橋剤を添加しなくても充分な熱硬化性を得ることができ、良好な層間絶縁膜を形成することができる。
【００４６】
本発明に係る層間絶縁膜用感光性樹脂組成物は、例えば、（Ａ）成分、（Ｂ）成分、（Ｃ）成分及び（Ｄ）成分を、ロールミル、ボールミル、サンドミル等の撹拌機で混合（分散及び混練）し、必要に応じて５μｍメンブランフィルタ等のフィルタで濾過して調製することができる。
【００４７】
本発明の層間絶縁膜感光性樹脂組成物は、液晶表示素子、集積回路素子、固体撮像素子等の電子部品における層状に配置される配線の間を絶縁するために設ける層間絶縁膜の形成に好適に用いることができる。また、液晶表示素子、集積回路素子、固体撮像素子等の電子部品の劣化や損傷を防止するための保護膜の形成にも好適に用いることができる。
【００４８】
［層間絶縁膜の形成方法］
以下、本発明に係る層間絶縁膜用感光性樹脂組成物を用いて層間絶縁膜を形成する方法について説明する。
まず、基板等の支持体上に本発明に係る層間絶縁膜用感光性樹脂組成物をスピンナー、ロールコータ、スプレーコータ、スリットコータ等を用いて塗布、乾燥させ、感光性樹脂組成物層を形成する。上記基板としては、例えば、透明導電回路等の配線を備え、必要に応じてブラックマトリクス、カラーフィルタ、偏光板等を備えるガラス板が挙げられる。
層間絶縁膜用感光性樹脂組成物が塗布された基板の乾燥方法としては、例えば（１）ホットプレートにて８０℃〜１２０℃の温度にて６０秒〜１２０秒間乾燥する方法、（２）室温にて数時間〜数日放置する方法、（３）温風ヒータや赤外線ヒータ中に数十分〜数時間入れて溶剤を除去する方法、のいずれでもよい。また、上記感光性樹脂組成物層の膜厚は、特に限定されるものではないが、１．０μｍ〜５．０μｍ程度であることが好ましい。
【００４９】
次いで、所定のマスクを介して、露光を行う。この露光は、紫外線、エキシマレーザ光等の活性エネルギー線を照射することにより行う。この活性エネルギー線の光源としては、例えば低圧水銀灯、高圧水銀灯、超高圧水銀灯、ケミカルランプ、エキシマレーザ発生装置等が挙げられる。照射するエネルギー線量は、層間絶縁膜用感光性樹脂組成物の組成によっても異なるが、例えば３０ｍＪ／ｃｍ２〜２０００ｍＪ／ｃｍ２程度であればよい。
次いで、露光された感光性樹脂組成物層を、現像液で現像し、パターンを形成する。この現像液としては、テトラメチルアンモニウムヒドロキシド（ＴＭＡＨ）水溶液のような有機アルカリ水溶液又は水酸化ナトリウム、水酸化カリウム、メタケイ酸ナトリウム、リン酸ナトリウム等の無機アルカリ水溶液が挙げられる。これにより、所望の範囲に保護膜や層間絶縁膜を設けることができる。
そして、前記パターンを加熱硬化する。この加熱硬化温度しては、例えば１５０℃〜２５０℃の条件で加熱処理を行う。また、形成されたパターンを全面露光することが好ましい。
【００５０】
本発明によれば、（Ｂ）成分として、キノンジアジド基含有化合物とフェノール性水酸基含有化合物とを縮合させてなる化合物を用い、前記フェノール性水酸基含有化合物の、波長３５０ｎｍにおけるグラム吸光係数を１以下とすることにより、層間絶縁膜用感光性樹脂組成物の経時安定性を向上させることが可能となる。また、より高い透明性を有する層間絶縁膜を提供することが可能となる。
【実施例】
【００５１】
［実施例１］
下記の成分を混合して、感光性樹脂組成物（層間絶縁膜用感光性樹脂組成物）を調製した。
（Ａ）成分：下記式の構成単位（ａ−１−１）：構成単位（ａ−２−１）＝４０：６０（モル比）の樹脂１（質量平均分子量９０００）・・・７５質量部
【化６】
2008040186.tif 000007
（Ｂ）成分：１−［１−（４−ヒドロキシフェニル）イソプロピル］−４−［１，１−ビス（４−ヒドロキシフェニル）エチル］ベンゼン−１，２−ナフトキノンジアジド−５−スルホン酸エステル（エステル化率６７％）・・・２５質量部
（Ｃ）成分：３−メトキシブチルアセテート・・・２３３質量部
（Ｄ）成分：界面活性剤（商品名：Ｘ−７０−０９３）・・・０．１質量部
ここで、上記１−［１−（４−ヒドロキシフェニル）イソプロピル］−４−［１，１−ビス（４−ヒドロキシフェニル）エチル］ベンゼンは、熱分解温度が３６５℃であり、波長３５０ｎｍにおけるグラム吸光係数が、０．００２であった。
【００５２】
（パターン形成方法）
上記感光性樹脂組成物を、ガラス基板（ダウコーニング社製：０．７ｍｍ×１５０ｍｍ（厚さ×直径））上に、膜厚３μｍとなるようにスピンナーで塗布後、ホットプレート上にて１１０℃で２分間乾燥させて塗布膜を得た。この塗布膜に対して、５μｍライン・パターン／５μｍスペース・パターンのポジマスクパターンを介してミラープロジェクションアライナー（商品名：ＭＰＡ−６００ＦＡ、キヤノン社製）を用いて露光した。
次いで、テトラメチルアンモニウムヒドロキシド２．３８質量％水溶液（現像液）中にて、１分間浸漬させ現像を行い、純水でのリンス洗浄を経て不要部分を除去し、パターンを得た。
【００５３】
［実施例２］
下記の成分を混合して、感光性樹脂組成物を調製した。
（Ａ）成分：構成単位（ａ−１−１）：構成単位（ａ−２−１）＝５０：５０（モル比）の樹脂２（質量平均分子量８７００）・・・７５質量部
（Ｂ）成分：１−［１−（４−ヒドロキシフェニル）イソプロピル］−４−［１，１−ビス（４−ヒドロキシフェニル）エチル］ベンゼン−１，２−ナフトキノンジアジド−５−スルホン酸エステル（エステル化率６７％）・・・２５質量部
（Ｃ）成分：３−メトキシブチルアセテート・・・２３３質量部
（Ｄ）成分：界面活性剤（商品名：Ｘ−７０−０９３）・・・０．１質量部
上記感光性樹脂組成物を用い、実施例１と同様にしてパターンを形成した。
【００５４】
［実施例３］
下記の成分を混合して、感光性樹脂組成物（層間絶縁膜用組成物）を調製した。
（Ａ）成分：樹脂２・・・５０質量部
構成単位（ａ−１−１）：構成単位（ａ−２−１）＝２０：８０（モル比）の樹脂３（質量平均分子量８７００）・・・２５質量部
（Ｂ）成分：１−［１−（４−ヒドロキシフェニル）イソプロピル］−４−［１，１−ビス（４−ヒドロキシフェニル）エチル］ベンゼン−１，２−ナフトキノンジアジド−５−スルホン酸エステル（エステル化率６７％）・・・２５質量部
（Ｃ）成分：３−メトキシブチルアセテート・・・２３３質量部
（Ｄ）成分：界面活性剤（商品名：Ｘ−７０−０９３）・・・０．１質量部
上記感光性樹脂組成物を用い、実施例１と同様にしてパターンを形成した。
【００５５】
［比較例１］
（Ｂ）成分を、２，３，４，４´−テトラヒドロキシベンゾフェノン−１，２−ナフトキノンジアジド−５−スルホン酸エステル（エステル化率８０％）に代えた以外は実施例１と同様にして、感光性樹脂組成物を調製し、実施例１と同様にしてパターンを形成した。
ここで、上記２，３，４，４´−テトラヒドロキシベンゾフェノンは、熱分解温度が２８５℃であり、波長３５０ｎｍにおけるグラム吸光係数が６．２２であった。
【００５６】
［参考例１］
下記の成分を混合して、感光性樹脂組成物を調製した。
（Ａ）成分：スチレン：メタクリル酸＝２０：８０（モル比）の共重合体（質量平均分子量７０００）・・・３０質量部
メタクリル酸：（３，４−エポキシシクロヘキシル）メタクリレート＝２０：８０（モル比）の共重合体（質量平均分子量７０００）・・・４５質量部
（Ｂ）成分：１−［１−（４−ヒドロキシフェニル）イソプロピル］−４−［１，１−ビス（４−ヒドロキシフェニル）エチル］ベンゼン−１，２−ナフトキノンジアジド−５−スルホン酸エステル（エステル化率６７％）・・・２５質量部
（Ｃ）成分：３−メトキシブチルアセテート・・・２３３質量部
（Ｄ）成分：界面活性剤（商品名：Ｘ−７０−０９３）・・・０．１質量部
上記感光性樹脂組成物を用い、実施例１と同様にしてパターンを形成した。
【００５７】
［参考例２］
（Ａ）成分：構成単位（ａ−１−１）（Ｍｗ＝９３００）・・・７５重量部
（Ｂ）成分：１−［１−（４−ヒドロキシフェニル）イソプロピル］−４−［１，１−ビス（４−ヒドロキシフェニル）エチル］ベンゼン−１，２−ナフトキノンジアジド−５−スルホン酸エステル（エステル化率６７％）・・・２５質量部
（Ｃ）成分：３−メトキシブチルアセテート・・・２３３質量部
（Ｄ）成分：界面活性剤（商品名：Ｘ−７０−０９３）・・・０．１質量部
上記感光性樹脂組成物を用い、実施例１と同様にしてパターンを形成した。
【００５８】
［評価］
上記実施例ならびに比較例の感光性樹脂組成物について、評価を行った。評価は、感度、解像性、粘度上昇率（保存安定性）、形成されたパターンの側壁角、形成されたパターンの膜減率、形成された膜の透過率について行った。評価方法は以下のとおりである。
感度：露光量を変化させ、５μｍライン・パターン／５μｍスペース・パターンが形成されるために必要な最小の露光量を感度とした。
解像性及びパターンの側壁角：形成されたパターンについて走査型電子顕微鏡（ＳＥＭ）で観察し、測定した。解像性は、上記感度で測定した最小露光量において形成することができる最小の線幅である。
膜減率：現像前に測定した膜厚に対する、現像後に測定した膜厚の割合である。
透過率：上記と同様にして得られた塗布膜を超高圧水銀灯を用いて、ポジマスクパターンを介さずに全面露光後、２３０℃のクリーンオーブン中で３０分間熱硬化させて硬化膜付きの基板を得た。得られた硬化膜付の基板を、分光光度計（商品名：ＵＶ−２５００ＰＣ、島津製作所社製）を用いて測定した波長４００ｎｍ〜８００ｎｍにおける最低透過率を透過率とした。
薬品耐性：上記と同様にして硬化膜付きの基板を得た。得られた硬化膜付き基板を剥離液（ＳＴ−１０６、東京応化工業製）７０℃、５分浸漬させ、純水洗浄、Ａｉｒ乾燥させた後、膜厚の変化量を測定した。変化量が浸漬前の膜厚の５％以下を○、２０％以下を△、それ以上を×とした。
粘度上昇率（保存安定性）：感光性樹脂組成物を室温で調製直後、１ヶ月保存した後の粘度を測定し、調製直後の粘度に対して上昇率を算出し、得られた値を用いた。
異物経時：感光性樹脂組成物の調製１ヶ月保存後（実施例、比較例とも室温保存）におけるパーティクルカウンターで計測した異物数を示す。
感度経時：感光性樹脂組成物の調製直後の感度に対する、１ヶ月保存後（実施例、比較例とも室温保存）の感度の割合を示す。
これらの結果を表１に示す。
【００５９】
【表１】
2008040186.tif 000008
比較例３については、パターンを形成することができなかった。
【００６０】
これより、本発明に係る層間絶縁膜形成用感光性樹脂組成物が、高い透明性を有する層間絶縁膜を提供することが可能であることが示された。